(57)【要約】【課題】ブランケット胴の外径を維持しつつ印刷面の面積を拡張できるオフセット印刷機を提供すること。【解決手段】このオフセット印刷機は、巻き付けられたブランケットにより印刷画像を版胴から紙に転写するブランケット胴３３を有する。また、ブランケット胴３３が、隣り合って配置されると共にブランケットに張力を付与する第一張軸３３３および第二張軸３３４と、第一張軸３３３を駆動する第一駆動機構３３５と、第二張軸３３４を駆動する第二駆動機構３３６とを有する。また、第一駆動機構３３５および第二駆動機構３３６が第一張軸３３３および第二張軸３３４をブランケット胴３３の周方向外側から挟み込んで配置される。【選択図】        図５
2007268771.tif 000002
【特許請求の範囲】
【請求項１】
巻き付けられたブランケットにより印刷画像を版胴から紙に転写するブランケット胴を有するオフセット印刷機であって、
前記ブランケット胴が、隣り合って配置されると共に前記ブランケットに張力を付与する第一張軸および第二張軸と、前記第一張軸を駆動する第一駆動機構と、前記第二張軸を駆動する第二駆動機構とを有し、且つ、前記第一駆動機構および前記第二駆動機構が前記第一張軸および前記第二張軸を前記ブランケット胴の周方向外側から挟み込んで配置されることを特徴とするオフセット印刷機。
【請求項２】
前記第一張軸と前記第二張軸との間に前記第一張軸および前記第二張軸を略覆うカバーが配置され、且つ、前記ブランケットの巻き付け状態にて、前記ブランケットの両端部が前記ブランケット胴の径方向外側から前記第一張軸および前記第二張軸の間に向かって巻き込まれる請求項１に記載のオフセット印刷機。
【発明の詳細な説明】
【技術分野】
【０００１】
この発明は、オフセット印刷機に関し、さらに詳しくは、ブランケット胴の外径を維持しつつ印刷面の面積を拡張できるオフセット印刷機に関する。
【背景技術】
【０００２】
オフセット印刷機は、印刷画像を版胴から紙に転写するためのブランケット胴を有する。このブランケット胴には、ゴム製のブランケットが巻き付けられる。このブランケットは、ブランケット胴に設置された一対の張軸により両端を支持されて張力を付与される。これらの張軸は、各張軸に対応して設けられた駆動機構により駆動される。ここで、既存のオフセット印刷機では、作業員がこれらの駆動機構を手動により工具を用いて操作する構成が広く採用されている。
【０００３】
一方、近年のオフセット印刷機では、ブランケット胴の外径を既存のまま維持しつつ、その印刷面（装着可能なブランケット）の面積を拡張すべき要請がある。
【０００４】
なお、この出願にかかるオフセット印刷機に関連する従来のオフセット印刷機には、特許文献１に記載される技術が知られている。従来のオフセット印刷機（印刷機の胴にブランケットを固定および緊締するための装置）は、軸平行な溝内に配置されていて、ゴムブランケットを緊締するための緊締軸に、ゴムブランケット始端部およびゴムブランケットのための固定装置が設けられている形式のものにおいて、緊締ねじによって操作されるラックが配置されていて、該ラックが中間歯車を介して緊締軸の外周で歯列に作用接続されており、前記中間歯車を介してカム円板およびプッシュロッドを介して操作される、ゴムブランケット始端部用の係止装置が設けられていることを特徴とする。
【０００５】
【特許文献１】特開平５−２２０９３５号公報
【発明の開示】
【発明が解決しようとする課題】
【０００６】
この発明は、ブランケット胴の外径を維持しつつ印刷面の面積を拡張できるオフセット印刷機を提供することを目的とする。
【課題を解決するための手段】
【０００７】
上記目的を達成するため、この発明にかかるオフセット印刷機は、巻き付けられたブランケットにより印刷画像を版胴から紙に転写するブランケット胴を有するオフセット印刷機であって、前記ブランケット胴が、隣り合って配置されると共に前記ブランケットに張力を付与する第一張軸および第二張軸と、前記第一張軸を駆動する第一駆動機構と、前記第二張軸を駆動する第二駆動機構とを有し、且つ、前記第一駆動機構および前記第二駆動機構が前記第一張軸および前記第二張軸を前記ブランケット胴の周方向外側から挟み込んで配置されることを特徴とする。
【０００８】
このオフセット印刷機では、第一駆動機構および第二駆動機構が第一張軸および第二張軸をブランケット胴の周方向外側から挟み込んで配置されるので、第一張軸および第二張軸の中間に駆動機構が配置される構成と比較して、第一張軸および第二張軸の間隔を狭め得る。これにより、より長いブランケットをブランケット胴に装着し得るので、印刷面の面積を拡張できる利点がある。また、かかる構成では、駆動機構に対してブランケット胴の径方向内側に駆動機構が配置される構成と比較して、ブランケット胴の外径を小さく（維持）できる利点がある。
【０００９】
また、この発明にかかるオフセット印刷機は、前記第一張軸と前記第二張軸との間に前記第一張軸および前記第二張軸を略覆うカバーが配置され、且つ、前記ブランケットの巻き付け状態にて、前記ブランケットの両端部が前記ブランケット胴の径方向外側から前記第一張軸および前記第二張軸の間に向かって巻き込まれる。
【００１０】
このオフセット印刷機では、ブランケットが第一張軸および第二張軸の双方に対して順巻きされるので、ブランケットが一方のみの張軸に対して順巻きされる構成と比較して、より長いブランケットをブランケット胴に装着し得る。これにより、印刷面の面積を拡張できる利点がある。
【発明の効果】
【００１１】
この発明にかかるオフセット印刷機では、第一駆動機構および第二駆動機構が第一張軸および第二張軸をブランケット胴の周方向外側から挟み込んで配置されるので、第一張軸および第二張軸の中間に駆動機構が配置される構成と比較して、第一張軸および第二張軸の間隔を狭め得る。これにより、より長いブランケットをブランケット胴に装着し得るので、印刷面の面積を拡張できる利点がある。また、かかる構成では、駆動機構に対してブランケット胴の径方向内側に駆動機構が配置される構成と比較して、ブランケット胴の外径を小さく（維持）できる利点がある。
【発明を実施するための最良の形態】
【００１２】
以下、この発明につき図面を参照しつつ詳細に説明する。なお、この実施例によりこの発明が限定されるものではない。また、この実施例の構成要素には、当業者が置換可能かつ容易なもの、或いは実質的同一のものが含まれる。また、この実施例に記載された複数の変形例は、当業者自明の範囲内にて任意に組み合わせが可能である。
【実施例】
【００１３】
図１は、この発明の実施例にかかるオフセット印刷機を示す構成図である。図２は、図１に記載したオフセット印刷機の印刷部を示す模式図である。図３〜図５は、図２に記載した印刷部のブランケット胴を示す側面図（図３）、Ａ−Ａ視断面図（図４）およびＢ−Ｂ視断面図（図５）である。図６は、ブランケットの交換作業を示す説明である。図７は、図３に記載したブランケット胴の張軸を示す説明図である。
【００１４】
［オフセット印刷機］
このオフセット印刷機１は、例えば、枚葉輪転印刷機であり、給紙部２と、複数の印刷部３と、排紙部４とを有する（図１参照）。給紙部２は、セットされた紙（枚葉紙）を繰り出して印刷部３に供給する。複数の印刷部３は、版胴３２、ブランケット胴３３、圧胴３４を有し、供給された紙にオフセット印刷する。これらの印刷部３は、例えばカラー印刷用の印刷機であれば、Ｙ、Ｍ、Ｃ、Ｋの各印刷色に対応した４つのユニットが連結された構成となっており、紙は圧胴３４及び中間胴やチェーングリッパなどにより給紙部２から排紙部４へ搬送される。排紙部４は、印刷部３にて印刷された紙を積層状態に積み上げる。
【００１５】
また、印刷部３は、版胴３２にインクを供給するための複数のローラからなるインキ供給部３１や湿し水を供給する水ローラ群を有する（図２参照）。インキ供給部３１は、インキを版胴３２に供給する。このインキ供給部３１は、インキ壺３１１、中間インキローラ群３１２、複数のインキ往復ローラ３１３、および複数のインキ着ローラ３１４を有する。インキ供給部３１では、インキ壺３１１内のインキが中間インキローラ群３１２、各インキ往復ローラ３１３、およびインキ着ローラ３１４を順次転移して適度に練られて版胴３２に供給される。版胴３２には、印刷画像の版が装着される。ブランケット胴３３は、印刷画像を版胴３２から紙に転写する。圧胴３４は、紙をブランケット胴３３に押し当てる。この印刷部３では、紙が搬送されてブランケット胴３３、および圧胴３４間を通過することにより、紙に印刷画像が転写される。
【００１６】
［ブランケット胴］
また、ブランケット胴３３は、ブランケット３３１と、胴本体３３２と、胴本体３３２に設けられたギャップ（溝）３３２ａ内に収まるように配される、第一張軸（咥え側張軸）３３３及び第二張軸（尻側張軸）３３４と、第一駆動機構３３５および第二駆動機構３３６と、カバー（安全カバー）３３７とを有する（図３〜図５参照）。
【００１７】
詳細には、ブランケット３３１は、例えば、ゴム製であり、印刷画像を版胴３２から紙に転写するために用いられる。胴本体３３２は、ブランケット胴３３の本体であり、ローラ形状を有する。この胴本体３３２に対してブランケット３３１が巻き付けられて配置される。第一張軸３３３、および第二張軸３３４は、胴本体３３２に巻き付けられたブランケット３３１の両端部を支持してブランケット３３１に張力を付与する。また、第一張軸３３３および第二張軸３３４は、胴本体３３２に設けられたギャップ３３２ａ内に収容され、その軸方向を胴本体３３２の軸方向に向けつつ相互に平行に並べられて配置される。第一駆動機構３３５、および第二駆動機構３３６は、第一張軸３３３および第二張軸３３４を駆動するための中間機構である。具体的には、第一駆動機構３３５が第一張軸３３３を駆動し、第二駆動機構３３６が第二張軸３３４を駆動する。カバー３３７は、第一張軸３３３、および第二張軸３３４を覆うカバーであり、胴本体３３２のギャップ３３２ａの開口部に沿って設けられる。
【００１８】
また、ブランケット胴３３では、第一駆動機構３３５および第二駆動機構３３６が第一張軸３３３および第二張軸３３４をブランケット胴３３の周方向外側から挟み込んで配置される（図５参照）。したがって、第一駆動機構３３５および第二駆動機構３３６は、ブランケット胴３３の周方向外側から第一駆動機構３３５および第二駆動機構３３６を駆動する。また、第一駆動機構３３５および第二駆動機構３３６は、ブランケットの径方向外側から工具（例えば、レンチ）Ｗを差し込まれて手動により操作される（図６参照）。なお、第一駆動機構３３５および第二駆動機構３３６は、例えば、ウォームギアにより構成され、第一張軸３３３の外周および第二張軸３３４の外周に設けられたウォームラック（図示省略）に対してそれぞれ噛み合う。
【００１９】
このオフセット印刷機１では、第一駆動機構３３５および第二駆動機構３３６が第一張軸３３３および第二張軸３３４をブランケット胴３３の周方向外側から挟み込んで配置されるので、第一張軸および第二張軸の中間に駆動機構が配置される構成（図示省略）と比較して、第一張軸３３３および第二張軸３３４の間隔を狭め得る。これにより、より長いブランケット３３２をブランケット胴３３に装着し得るので、印刷面の面積を拡張できる利点がある。また、かかる構成では、駆動機構に対してブランケット胴の径方向内側に駆動機構が配置される構成（特許文献１参照）と比較して、ブランケット胴３３２の外径を小さく（維持）できる利点がある。
【００２０】
また、第一張軸および第二張軸の中間に駆動機構が配置される構成（図示省略）では、第一張軸および第二張軸の間隔により駆動機構の大きさが制限される。この点において、このオフセット印刷機１では、第一駆動機構３３５および第二駆動機構３３６が第一張軸３３３および第二張軸３３４に対してブランケット胴３３の周方向外側に配置されるので、かかる制限が緩和される利点がある。これにより、より大きな駆動機構（ウォームギア）を採用し得る。
【００２１】
また、既存のオフセット印刷機では、印刷部３の足場Ｓ付近にブランケット胴３３が配置される（図６参照）。ここで、ブランケット３３１の交換作業では、ブランケット３３１の端部をくわえる側の張軸（第二張軸３３４）にブランケット３３１が挿入され、この第二張軸３３４を駆動する第二駆動機構３３６に工具Ｗが差し込まれて作業が行われる。このとき、ブランケット３３１を挿入する位置が足場Ｓから上方に離れていれば、第二張軸３３４の視認性が向上して好ましい。この点において、このオフセット印刷機１では、図６に示すように、第二駆動機構３３６に工具Ｗが差し込まれたときに第二張軸３３４が第二駆動機構３３６よりも足場Ｓから上方に離れているので、ブランケット３３２の交換作業が容易となる利点がある。
【００２２】
なお、このオフセット印刷機１では、ブランケット３３１をブランケット胴３３２に取り付ける固定構造として、図７に示したように、ブランケット３３１が、その両端部に口金３３１１、３３１２を有し、これに対して、第一張軸３３３および第二張軸３３４がスリット部３３３１、３３４１をそれぞれ有する構造を採用している。
【００２３】
これらのスリット部３３３１、３３４１は、図７に示したように断面視において外周面から軸中心に向かうような断面溝状であって、かつ、第一張軸３３３あるいは第二張軸３３４の軸方向に沿って形成される。ブランケット３３１の設置状態では、ブランケット３３１が胴本体３３２に巻き付けられ、ブランケット３３１の一方の端部（口金３３１１）が第一張軸３３３のスリット部３３３１に挿入されると共に他方の端部（口金３３１２）が第二張軸３３４のスリット部３３４１に挿入される。そして、口金３３１１、３３１２とスリット部３３３１、３３４１との摩擦力によりブランケット３３１が第一張軸３３３および第二張軸３３４に支持される。
【００２４】
なお、このオフセット印刷機１では、ブランケット３３１の巻き付け状態にて、ブランケット３３１の両端部（口金３３１１、３３１２）がブランケット胴３３の径方向外側から第一張軸３３３および第二張軸３３４の間に向かって巻き込まれる構造を採用している（図７参照）。すなわち、ブランケット３３１が第一張軸３３３および第二張軸３３４の双方に対して順巻きされる。かかる構成では、ブランケットが一方のみの張軸に対して順巻きされる構成と比較して、より長いブランケット３３２をブランケット胴３３に装着し得るので、印刷面の面積を拡張できる利点がある。
【００２５】
ブランケット３３１の取り付け作業は次の工程で行われる。咥え側となる第一張軸３３３のスリット部３３３１にブランケット３３１の口金３３１１を挿入し、カバー３３７で口金３３１１が隠れる程度にギャップ３３２ａ中央に向けて順巻きに回動させて咥え側を固定する。
【００２６】
ここで、構造的には、スリット部３３３１をギャップ３３２ａの開口方向に向けたままでも、口金３３１１よりも僅かにスリット部３３３１が大きいサイズになっており、これを深く差し込むとともに、その差しこみ方向に対し折り返すように略９０度もしくはそれ以上の向きに張力がかかる（モーメントがかかる）という構造的および口金とスリットとの接触面の摩擦抵抗により抜け落ちは防止できる。
【００２７】
しかし、本実施形態では、さらに抜け落ちを確実に防止するため、カバー３３７で口金３３１１が隠れる程度に第一張軸３３３をギャップ３３２ａ中央に向けて順巻きに回動させ、カバー３３７の端部が抜け落ち止めとしても機能する相対位置として、咥え側を固定している（図４及び図７参照）。
【００２８】
その後、ブランケット３３１を胴本体３３２の外周面に巻きつけ、ブランケット３３１のもう一方の口金３３１２を第二張軸３３４のスリット部３３４１に挿入し、第二張軸３３４をギャップ中央に向けて順巻きに回動させて尻側を固定する。
【００２９】
このようなスリット部３３３１、３３４１に口金３３１１、３３１２が差し込まれる位置を、ブランケット胴３３の回動軸に直交する仮想断面で見た場合に、第一張軸３３３及び第二張軸３３４の中間地点を仮想的に通る回動軸中心からの半径方向に延びる線に対してスリット部３３３１、３３４１の溝断面が平行をなす位置とし、この位置からギャップ中央（第一張軸３３３及び第二針軸３３４に挟まれた中間地点）に向けて第一張軸３３３及び第二張軸３３４を回動させることによりブランケット３３１を張る構成としたので、張軸３３３、３３４にブランケット３３１の口金３３１１、３３１２を差し込んだ角度から、ブランケット３３１を張るために第一張軸３３３及び第二張軸３３４を回転する角度を最小とすることができる。
【００３０】
さらには、上述した咥え側の第一張軸のスリット部３３３１が僅かにカバー３３７に隠れるように回動させる場合や、ブランケット３３１に係る張力を調整するために尻側の第二張軸のスリット部３３４１の位相を回転をさせる場合のみならず、印刷処理を重ねていくにつれて生じるブランケット３３１が経年劣化対策として、ブランケット３３１とギャップ３３２ａの端部が接触する位置を変更する場合においても、容易に張軸を回動することができる。
【００３１】
よって、本実施形態の構成を採用することにより、総じて、ブランケット３３１を差し込んだ状態から工具を用いて張軸を操作する量を、現状に比較し、少なくすることができる。
【００３２】
加えて、かかる構成では、ブランケット３３１の両端部（口金３３１１、３３１２）と各張軸３３３、３３４のスリット部３３３１、３３４１との摩擦力によりブランケット３３１が支持されるので、ブランケットの両端部が開閉爪などにより留められる構成（図示省略）と比較して、ブランケット３３１の支持構造が簡素化される。これにより、ブランケット３３１の交換作業（着脱作業）が容易化されて作業時間（印刷の準備時間）が短縮される利点がある。例えば、かかる構成では、ブランケット３３１の各口金３３１１、３３１２が各張軸３３３、３３４のスリット部３３３１、３３４１に挿入されるだけなので、開閉爪を開閉させてブランケットの両端部を留める必要がない。これは、ブランケット３３１の交換作業が印刷部３の狭い作業スペース（図１および図６参照）にて行われることを考慮すると、極めて有益である。
【００３３】
また、かかる構成では、各張軸がブランケットを留める開閉爪を有する構成と比較して、各張軸３３３、３３４の構成が簡素化される。これにより、張軸３３３、３３４の加工が容易となる利点がある。また、上記の開閉爪を配置するために各張軸に大きな開口部が形成される構成と比較して、各張軸３３３、３３４の捻れ剛性が増加する。これにより、ブランケット３３１が安定的に支持されて、その捻れ（印刷不良）が低減される利点がある。
【産業上の利用可能性】
【００３４】
以上のように、本発明にかかるオフセット印刷機は、ブランケット胴の外径を維持しつつ印刷面の面積を拡張できる点で有用である。
【図面の簡単な説明】
【００３５】
【図１】この発明の実施例にかかるオフセット印刷機を示す構成図である。
【図２】図１に記載したオフセット印刷機の印刷部を示す模式図である。
【図３】図２に記載した印刷部のブランケット胴を示す側面図である。
【図４】図２に記載した印刷部のブランケット胴を示すＡ−Ａ視断面図である。
【図５】図２に記載した印刷部のブランケット胴を示すＢ−Ｂ視断面図である。
【図６】ブランケットの交換作業を示す説明図である。
【図７】図３に記載したブランケット胴の張軸を示す説明図である。
【符号の説明】
【００３６】
１  オフセット印刷機
２  給紙部
３  印刷部
３０  中間胴
３１  インキ供給部
３１１  インキ壺
３１２  中間インキローラ群
３１３  インキ往復ローラ
３１４  インキ着ローラ
３２  版胴
３３  ブランケット胴
３３１  ブランケット
３３１１、３３１２  口金
３３２  胴本体
３３３  第一張軸
３３３１  スリット部
３３４  第二張軸
３３４１  スリット部
３３５  第一駆動機構
３３６  第二駆動機構
３３７  カバー
３４  圧胴
４  排紙部
【図１】
2007268771.tif 000003
【図２】
2007268771.tif 000004
【図３】
2007268771.tif 000005
【図４】
2007268771.tif 000006
【図５】
2007268771.tif 000007
【図６】
2007268771.tif 000008
【図７】
2007268771.tif 000009